(57)【要約】【課題】本発明は、インターフェースカードの高速挿抜装置に関し、特にＰＣＩｅインターフェースカードに適用される高速挿抜装置を示す。【解決手段】  本発明のインターフェースカードの高速挿抜装置は、主にハウジングおよび固定ユニットを含む。ハウジングはＰＣＩｅインターフェースカードを覆い、固定ユニットは、ハウジングおよび／またはＰＣＩｅインターフェースカードの側面に設置される。ＰＣＩｅインターフェースカードをＰＣＩｅスロットに挿入するとき、高速挿抜装置はＰＣＩｅスロットを挟持または係着する。これにより、ＰＣＩｅインターフェースカードをＰＣＩｅスロットに挿着する安定性が増すだけでなく、工具を使用せず、ＰＣＩｅインターフェースカードをＰＣＩｅスロットに、迅速に挿抜および取付固定することができる。したがって、コンピュータシステム業者の電気回路設計における柔軟性を高める。【選択図】図３Ｂ
2011249793.tif 000002
【特許請求の範囲】
【請求項１】
少なくとも１つの固定部品および接触部を含むインターフェースカードの高速挿抜装置であって、
前記固定部品が、接続部を介してＰＣＩｅインターフェースカードと連結し、固定部品および接続部の上側縁部との間に可変空間が形成され、
前記接触部が、該固定部品の底部縁に設けられ、ＰＣＩｅインターフェースカードをＰＣＩｅスロットに挿入するとき、該接触部が該ＰＣＩｅスロットのスロット側面を挟持または係着する、
高速挿抜装置。
【請求項２】
該接触部が係着部であり、該ＰＣＩｅスロットのスロット側面に少なくとも１つの突出部が設けられ、該係着部が、該ＰＣＩｅスロットの突出部と係着する、請求項１に記載の高速挿抜装置。
【請求項３】
さらに該ＰＣＩｅインターフェースカードの外部に設置され、部分的にＰＣＩｅインターフェースカードを覆うハウジングを含み、該固定部品が、該接続部を介して該ハウジングと接続し、これにより固定部品が該ＰＣＩｅインターフェースカードと連結することになる、請求項１に記載の高速挿抜装置。
【請求項４】
該固定部品が該ハウジングの１側面に設けられ、該ハウジングの別の１側面に少なくとも１つの延伸部が設けられる、請求項３に記載の高速挿抜装置。
【請求項５】
さらに該可変空間内に位置し、該固定部品を固定する位置決め部品を含む、請求項１または３に記載の高速挿抜装置。
【請求項６】
該接続部が第１接続部および第２接続部を含み、第１接続部が該固定部品に連結し、第２接続部が該ＰＣＩｅインターフェースカードに連結し、第１接続部および第２接続部の間が、接続軸によって貫設および接続され、接続軸が弾性要素を有する、請求項１または３に記載の高速挿抜装置。
【請求項７】
少なくとも１つの固定部品および接触部を含む、インターフェースカードの高速挿抜装置であって、
前記固定部品が、接続部を介してＰＣＩインターフェースカードと連結し、固定部品および接続部の上側縁部との間に可変空間が形成され、
前記接触部が、該固定部品の底部縁に設けられ、ＰＣＩインターフェースカードをＰＣＩスロットに挿入するとき、該接触部が該ＰＣＩスロットのスロット側面を挟持または係着する、
高速挿抜装置。
【請求項８】
さらに該ＰＣＩインターフェースカードの外部に設置され、部分的にＰＣＩインターフェースカードを覆うハウジングを含み、該固定部品が、該接続部を介して該ハウジングと接続し、これにより固定部品が該ＰＣＩインターフェースカードと連結することになる、請求項７に記載の高速挿抜装置。
【請求項９】
該固定部品が該ハウジングの１側面に設けられ、該ハウジングの別の１側面に少なくとも１つの延伸部が設けられる、請求項８に記載の高速挿抜装置。
【請求項１０】
さらに該可変空間内に位置し、該固定部品を固定する位置決め部品を含む、請求項７または８に記載の高速挿抜装置。
【請求項１１】
該接続部が第１接続部および第２接続部を含み、第１接続部が該固定部品に連結し、第２接続部が該ＰＣＩインターフェースカードに連結し、第１接続部および第２接続部の間が、接続軸によって貫設および接続され、接続軸が弾性要素を有する、請求項７または８に記載の高速挿抜装置。
【発明の詳細な説明】
【技術分野】
【０００１】
本発明は、インターフェースカードの高速挿抜装置に関し、特にＰＣＩｅインターフェースカードまたはＰＣＩインターフェースカードに適用できる高速挿抜装置を示す。
【背景技術】
【０００２】
インテル（Ｉｎｔｅｌ）が、１９９０年ごろにＰＣＩバス（Ｐｅｒｉｐｈｅｒａｌ  Ｃｏｍｐｏｎｅｎｔ  Ｉｎｔｅｒｃｏｎｎｅｃｔ）を開発してから、ＰＣＩバスは今やコンピュータシステムにおいて、最もよく見られる拡張バスとなった。これに加えて、絶え間ない技術の発展に伴い、ＰＣＩバスからさらに、ＰＣＩ−ＸバスまたはＰＣＩｅバス（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ、または略称ＰＣＩ−Ｅ）に発展した。ＰＣＩｅバスはさらに速い伝送速度を有し、ホットスワップをサポートする特性も有する。従来のコンピュータシステムの内部バス（ＰＣＩおよびＡＧＰなど）はＰＣＩｅバスに移行され、ＰＣＩｅバスは主要なバスインターフェースとなった。さらに将来には、ＰＣＩｅバスのその他の幅広い応用が可能になるだろう。
【０００３】
図１を参照されたい。図１は、従来のＰＣＩｅ装置の立体概要図である。図に示すように、ＰＣＩｅ装置１１は、ＰＣＩｅインターフェースカード１１１およびバッフル１１３を含む。ＰＣＩｅインターフェースカード１１１は、ＰＣＩｅスロット１３１に挿入される。
【０００４】
一般のコンピュータシステムについて述べると、マザーボード１３には、通常少なくとも１つのＰＣＩｅスロット１３１が設けられる。ＰＣＩｅインターフェースカード１１１を、マザーボード１３のＰＣＩｅスロット１３１に挿入するとき、マザーボード１３は、ＰＣＩｅスロット１３１を介して、ＰＣＩｅインターフェースカード１１１とデータまたは信号の伝送を行い、これにより、マザーボード１３の機能が拡張される。
【０００５】
ＰＣＩｅインターフェースカード１１１の側面にバッフル１１３が設置される。ＰＣＩｅインターフェースカード１１１をＰＣＩｅスロット１３１に挿入すると、バッフル１１３はコンピュータの筐体１５と接触し、さらにボルト１７によって、バッフル１１３および筐体１５が螺合される。これにより、ＰＣＩｅ装置１１がＰＣＩｅスロット１３１に固定される。
【０００６】
バッフル１１３およびボルト１７を利用することによって、ＰＣＩｅ装置１１をＰＣＩｅスロット１３１および筐体１５に固定するが、前述の部材を使用するとき、依然として一定の不便さがある。例えば、ユーザがＰＣＩｅ装置１１を取り付けるとき、まずＰＣＩｅインターフェースカード１１１をＰＣＩｅスロット１３１に挿入し、ＰＣＩｅ装置１１の位置を微調整して、ＰＣＩｅ装置１１のバッフル１１３および筐体１５を特定の位置に配置する。その後、ボルト１７によって、バッフル１１３および筐体１５を螺合することができる。
【０００７】
操作の過程で、ユーザは他にドライバーなどの工具を準備して、ボルト１７による螺合を行わなければならない。このほか、ＰＣＩｅ装置１１を取り外す過程においても、同様に工具を利用してボルト１７を取り外してからでないと、ＰＣＩｅ装置１１をＰＣＩｅスロット１３１から抜き出すことができず、使用上の不便がある。
【０００８】
このほか、ＰＣＩｅ装置１１のバッフル１１３は、一定の規格を有する必要がある。例えば、一般の標準バッフルの高さは１２１ｍｍであり、短いバッフルは７９．５ｍｍの規定がある。ＰＣＩｅインターフェースカード１１１の高度Ｈに基づいて、バッフル１１３のサイズを調整することができないため、設計によってＰＣＩｅ装置１１の体積を縮小することもできない。ＰＣＩｅ装置１１および／または筐体１５の高度（Ｈ）を、柔軟に変化させることができない規制があり、一般のコンピュータの外枠またはコンピュータシステムを、軽くて薄く、小さい製品にすることができないという設計上の障害でもある。
【０００９】
また、ＰＣＩｅ装置１１は、単一側面のみにバッフル１１３を有し、筐体１５に固定される。ＰＣＩｅ装置１１の長さＷが比較的長いとき、コンピュータシステムの不適当な震動によって、ＰＣＩｅ装置１１が揺れ動いたり、または緩んで落ちたりする状況が発生しやすい。ＰＣＩｅインターフェースカード１１１のデータ伝送のエラー、またはコンピュータシステムの故障を引き起こすことすらある。
【００１０】
また、ＰＣＩｅ装置１１は、主にバッフル１１３を介して筐体１５と固定されるため、マザーボード１３のＰＣＩｅスロット１３１の位置が制限されることがある。ＰＣＩｅスロット１３１は、バッフル１１３および筐体１５の位置を適応させて配置する必要がある。例えば、ＰＣＩｅスロット１３１および筐体１５の間の距離Ｌは、厳格に規定されており、そうでなければＰＣＩｅ装置１１を筐体１５に螺着することができない。このように、設計者がマザーボード１３を設計するとき、ＰＣＩｅスロット１３１の位置を自由に変更することができない。したがって、コンピュータシステムの部材を設置する位置、および電気回路設計の自由度は大きく制限され、マザーボード１３のスペースの活用についても相当な制限を受ける。
【発明の概要】
【発明が解決しようとする課題】
【００１１】
本発明の主な目的は、インターフェースカードの高速挿抜装置を提供することにあり、従来のＰＣＩｅ装置またはＰＣＩ装置の前述の欠点を効果的に解決する。ＰＣＩｅインターフェースカードを、ＰＣＩｅスロットに挿着する安定性を高めるだけでなく、工具を使用せずに、ＰＣＩｅインターフェースカードをＰＣＩｅスロットに、迅速に挿抜および位置決めすることができ、コンピュータシステム業者の設計における柔軟性を高める。
【００１２】
本発明の副次的な目的は、インターフェースカードの高速挿抜装置を提供することにあり、ＰＣＩｅインターフェースカードをＰＣＩｅスロットに挿着するとき、ＰＣＩｅスロットを挟持または係着する。ＰＣＩｅインターフェースカードおよびＰＣＩｅスロット間の挿着安定性を高めるだけでなく、挿抜の便宜性を向上させる。
【００１３】
本発明の別の目的は、インターフェースカードの高速挿抜装置を提供することにあり、従来のコンピュータのバッフル、およびバッフルの固定機能を代替する。その他の工具を使用せずに、ＰＣＩｅインターフェースカードの取付固定動作を行うだけでなく、その使用の便宜性および迅速性を高める。バッフルを使用しないことを選択したため、バッフルを使用することによって起こる種々の欠陥を徹底的に解決した。
【００１４】
本発明の別の目的は、インターフェースカードの高速挿抜装置を提供することにあり、ＰＣＩｅインターフェースカードは、主に従来のバッフルを介した筐体との固定接続を行わず、マザーボードのＰＣＩｅスロットの位置は、自由に変化する。これにより、設計者がマザーボードを設計するとき、電気回路を配置する自由度を高めることに役立つだけでなく、コンピュータシステムおよびＰＣＩｅ装置を、軽くて薄く、小さい製品にするという目標を達成することができる。
【００１５】
本発明の別の目的は、インターフェースカードの高速挿抜装置を提供することにあり、ＰＣＩインターフェースカードをＰＣＩスロットに挿着するとき、ＰＣＩスロットの側面を挟持または係着し、ＰＣＩインターフェースカードをＰＣＩスロットに固定する。これにより、ＰＣＩインターフェースカードおよびＰＣＩスロットの、挿抜の便宜性、迅速性、および抗震動の結合信頼性を高める。
【課題を解決するための手段】
【００１６】
前述の目的を達成するため、本発明はインターフェースカードの高速挿抜装置を提供する。インターフェースカードの高速挿抜装置は、少なくとも１つの固定部品および接触部を含む。固定部品は接続部を介してＰＣＩｅインターフェースカードと連結し、固定部品および接続部の上側縁部との間に、可変空間が形成される。接触部は、固定部品の底部縁に設けられる。ＰＣＩｅインターフェースカードをＰＣＩｅスロットに挿入するとき、接触部はＰＣＩｅスロットのスロット側面を挟持または係着する。
【００１７】
また、本発明は、さらにインターフェースカードの高速挿抜装置を提供する。インターフェースカードの高速挿抜装置は、少なくとも１つの固定部品および接触部を含む。固定部品は、接続部を介してＰＣＩインターフェースカードと連結し、固定部品および接続部の上側縁部との間に、可変空間が形成される。接触部は、固定部品の底部縁に設けられる。ＰＣＩインターフェースカードをＰＣＩスロットに挿入するとき、接触部はＰＣＩスロットのスロット側面を挟持または係着する。
【図面の簡単な説明】
【００１８】
【図１】図１は、従来のＰＣＩｅ装置の立体概要図である。
【図２Ａ】図２Ａおよび図２Ｂは、それぞれ本発明のインターフェースカードの高速挿抜装置およびそのＰＣＩｅ装置における、実施例の立体概要図および断面概要図である。
【図２Ｂ】図２Ａおよび図２Ｂは、それぞれ本発明のインターフェースカードの高速挿抜装置およびそのＰＣＩｅ装置における、実施例の立体概要図および断面概要図である。
【図３Ａ】図３Ａは、それぞれ本発明のインターフェースカードの高速挿抜装置における、別の実施例の挿着前の立体概要図である。
【図３Ｂ】図３Ｂは、それぞれ本発明のインターフェースカードの高速挿抜装置における、別の実施例の挿着後の立体概要図である。
【図４】図４は、本発明のインターフェースカードの高速挿抜装置における、別の実施例の断面概要図である。
【図５】図５は、本発明のインターフェースカードの高速挿抜装置における、別の実施例の断面概要図である。
【図６】図６は、本発明のインターフェースカードの高速挿抜装置における、別の実施例の断面概要図である。
【図７】図７は、本発明のインターフェースカードの高速挿抜装置における、別の実施例の断面概要図である。
【図８】図８は、本発明のインターフェースカードの高速挿抜装置における、別の実施例の断面概要図である。
【図９】図９は、本発明のインターフェースカードの高速挿抜装置における、別の実施例の断面概要図である。
【発明を実施するための形態】
【実施例】
【００１９】
図２Ａおよび図２Ｂを参照されたい。図２Ａおよび図２Ｂは、それぞれ本発明のインターフェースカードの高速挿抜装置およびそのＰＣＩｅ装置における、実施例の立体概要図および断面概要図である。図に示すように、本発明のインターフェースカードの高速挿抜装置２５は、ＰＣＩｅインターフェースカード２１に適用され、ＰＣＩｅインターフェースカード２１とＰＣＩｅ装置２０を形成する。
【００２０】
高速挿抜装置２５は、ＰＣＩｅインターフェースカード２１の外部に設置され、固定部品２５１を含む。ＰＣＩｅインターフェースカード２１をＰＣＩｅスロット２９に挿着するとき、固定部品２５１が、ＰＣＩｅスロット２９のスロット側面２９３を挟持または係着する。これにより、ＰＣＩｅインターフェースカード２１およびＰＣＩｅスロット２９間の挿着安定性が高まる。
【００２１】
本実施例において、高速挿抜装置２５はさらにハウジング２５７を含む。ハウジング２５７はＰＣＩｅインターフェースカード２１を覆い、さらに部分的な底部のＰＣＩｅインターフェースカード２１は、ハウジング２５７の外部に位置する。使用するとき、露出したＰＣＩｅインターフェースカード２１をＰＣＩｅスロット２９に挿入すると、ＰＣＩｅインターフェースカード２１が、ＰＣＩｅスロット２９を介して、データまたは信号の伝送を行う。
【００２２】
高速挿抜装置２５の固定部品２５１は、ハウジング２５７の外部に設置され、両者の間は接続部２５５を介して接続される。接続部２５５は、溶接、螺着、接着、留め具、または一体成型などの方法で、固定部品２５１および／またはハウジング２５７とそれぞれ接続される。接続部２５５は、固定部品２５１の中段位置に設けられ、押持部２５２および固定部品２５１の底部縁に接触部２５３を有する。例えば本実施例で示す、ＰＣＩｅインターフェースカード２１の方向に突出した係着部２５３である。また、押持部２５２および接続部２５５の上側縁部とハウジング２５７の間に、可変空間２５４が形成される。
【００２３】
使用するとき、ユーザは高速挿抜装置２５の押持部２５２を押さえて、可変空間２５４に向かって移動させ、固定部品２５１の傾斜角度を、点線で示すように広げる。ＰＣＩｅインターフェースカード２１をＰＣＩｅスロット２９に挿入してから、高速挿抜装置２５の押持部２５２を放すと、高速挿抜装置２５の係着部２５３が、ＰＣＩｅスロット２９のスロット側面２９３を挟持または係着する。
【００２４】
当然、実際に使用するとき、ユーザは高速挿抜装置２５の押持部２５２を押さえる必要は無く、直接ＰＣＩｅインターフェースカード２１をＰＣＩｅスロット２９に挿入する。固定部品２５１／係着部２５３およびＰＣＩｅスロット２９３で押しだすことによって、高速挿抜装置２５は、同じように、ＰＣＩｅスロット２９を挟持または係着することができる。
【００２５】
一般にＰＣＩｅスロット２９のスロット側面２９３には、通常少なくとも１つの突出部２９１が設けられる。本発明の好適な実施例において、このＰＣＩｅスロット２９の突出部２９１が活用される。ＰＣＩｅインターフェースカード２１をＰＣＩｅスロット２９に挿入すると、高速挿抜装置２５の係着部２５３は、ＰＣＩｅスロット２９のスロット側面２９３の突出部２９１と係着し、ＰＣＩｅ装置２０がＰＣＩｅスロット２９から簡単に緩んで落ちることがないようにする。反対に、ＰＣＩｅインターフェースカード２１をＰＣＩｅスロット２９から取り外すとき、高速挿抜装置２５の押持部２５２を押さえる必要があり、その後ＰＣＩｅインターフェースカード２１を抜けばよい。本発明の高速挿抜装置２５は、他にドライバーなどの工具を使用する必要はなく、ＰＣＩｅインターフェースカード２１をＰＣＩｅスロット２９から、迅速に挿抜または取付固定を繰り返し行うことができる。したがって、ＰＣＩｅインターフェースカード２１の挿抜の迅速性および使用の便宜性が確実に増加する。
【００２６】
図３Ａおよび図３Ｂを参照されたい。図３Ａおよび図３Ｂは、それぞれ本発明のインターフェースカードの高速挿抜装置における、別の実施例の挿着前および挿着後の立体概要図である。図に示すように、本実施例において、高速挿抜装置２５のハウジング２５７の１側面に固定部品２５１が接続され、ハウジング２５７の別の底側面に、少なくとも１つの延伸部３５１が増設される。ＰＣＩｅインターフェースカード２１をＰＣＩｅスロット２９に挿入するとき、高速挿抜装置２５の固定部品２５１および延伸部３５１は、ＰＣＩｅスロット２９の両側面に接触し、ＰＣＩｅ装置３０をＰＣＩｅスロット２９に安定固定させることができ、これにより、両者の間の接続関係がさらに高まる。
【００２７】
また、本発明の別の実施例において、高速挿抜装置２５は、さらに位置決め部品３５７を含む。位置決め部品３５７は高速挿抜装置２５の可変空間２５４内に配置されるか、または固定部品２５１と離して配置される。
【００２８】
ＰＣＩｅインターフェースカード２１をＰＣＩｅスロット２９に挿入するとき、位置決め部品３５７および高速挿抜装置２５を分離し、可変空間２５４を開ける必要がある。ユーザは高速挿抜装置２５の押持部２５２を押さえることができ、高速挿抜装置２５の固定部品２５１を傾斜し開いて、ＰＣＩｅインターフェースカード２１をＰＣＩｅスロット２９に挿入する。図３Ａに示す。
【００２９】
ＰＣＩｅインターフェースカード２１をＰＣＩｅスロット２９に挿入した後、高速挿抜装置２５は、ＰＣＩｅスロット２９を挟持または係着する。このとき、さらに位置決め部品３５７を、高速挿抜装置２５およびハウジング２５７間の可変空間２５４内に押し入れ、位置決め部品３５７を高速挿抜装置２５に固定する。これにより、ＰＣＩｅインターフェースカード２１およびＰＣＩｅスロット２９間の接続の安定度をさらに高める。図３Ｂに示す。
【００３０】
本発明の実施例において、ハウジング２５７が可変空間２５４に相対する位置に、位置決めレール３５４を有し、位置決め部品３５７は位置決めレール３５４上で移動する。ＰＣＩｅインターフェースカード２１をＰＣＩｅスロット２９に挿入した後、位置決め部品３５７を位置決めレール３５４に沿って下に押し、位置決め部品３５７を高速挿抜装置２５およびハウジング２５７の間の可変空間２５４内に位置させる。反対に、ＰＣＩｅインターフェースカード２１を、ＰＣＩｅスロット２９から抜くとき、まず位置決め部品３５７を位置決めレール３５４に沿って上に挙げてから、高速挿抜装置２５の押持部２５２を押さえ、ＰＣＩｅインターフェースカード２１およびＰＣＩｅスロット２９を分離させる。当然、異なる実施例において、位置決め部品３５７および／または位置決めレール３５４を、高速挿抜装置２５／固定部品２５１の左右側面に設置し、図に示すような上側でなくてもよい。同様に、位置決め部品３５７によって、高速挿抜装置２５または固定部品２５１を固定する目的を達成してもよい。
【００３１】
このほか、図１を合わせて参照されたい。本発明の別の実施例において、高速挿抜装置２５を有するＰＣＩｅ装置３０も、従来技術で述べたバッフル（１１３）を増設し、ＰＣＩｅ装置３０を、さらにバッフル１１３を介して、筐体１５と接続させてもよい。これにより、ＰＣＩｅ装置３０がＰＣＩｅスロット２９にさらに堅固に設置される。
【００３２】
図４を参照されたい。図４は、本発明のインターフェースカードの高速挿抜装置における、別の実施例の断面概要図である。図に示すように、ＰＣＩｅ装置４０は、ＰＣＩｅインターフェースカード２１および高速挿抜装置４５を含む。高速挿抜装置４５は、ＰＣＩｅスロット２９を挟持し、高速挿抜装置４５の係着部４５３は、ＰＣＩｅスロット２９の突出部２９１を係着する。
【００３３】
本発明の実施例において、高速挿抜装置４５の固定部品４５１およびハウジング４５７は、一体成型の方法で設置されていない。固定部品４５１に第１接続部４５５が設けられ、ハウジング４５７に、相対する第２接続部４５８が設けられる。接続軸４５９を第１接続部４５５および第２接続部４５８に貫設させ、固定部品４５１およびハウジング４５７を接続する。
【００３４】
このほか、接続軸４５９に、例えば圧縮バネまたは圧縮弾性シートなどの弾性要素４９を巻きつける。弾性要素４９は、可変空間２５４内に位置し、それぞれ固定部品４５１（または押持部４５２）およびハウジング４５７と接触し、高速挿抜装置４５に元に戻る挟着力を与える。このほか、ＰＣＩｅ装置４０は、位置決め部品３５７を含むことも選択でき、固定部品４５１を固定する。
【００３５】
続いて、図５を参照されたい。図５は、本発明のインターフェースカードの高速挿抜装置における、別の実施例の断面概要図である。図に示すように、本発明の高速挿抜装置５５も、各種形態のインターフェースカード、例えばＰＣＩインターフェースカード５１に適用できる。高速挿抜装置５５はＰＣＩインターフェースカード５１と接続し、ＰＣＩ装置５０になる。ＰＣＩインターフェースカード５１は、ＰＣＩスロット５９に挿入され、高速挿抜装置５５を介して、両者の間の接続関係が高まる。
【００３６】
本発明の実施例において、ＰＣＩスロット５９はＰＣＩｅスロット（２９）のような、突出部（２９１）を有さないため、高速挿抜装置５５の底部縁の接触部５５６にスペーサーを設計し、前記実施例の係着部（２５３）を代替する。スペーサー５５６は、各種の滑り止め材質、例えばゴムなどで製造される。高速挿抜装置５５は、スペーサー５５６を介して、ＰＣＩスロット５９のスロット側面５９３を挟持し、スペーサー５５６の滑り止め特性によって、ＰＣＩ装置５０がＰＣＩスロット５９から容易に落ちることがないようにし、両者の間の結合信頼性を高める。
【００３７】
図６を参照されたい。図６は、本発明のインターフェースカードの高速挿抜装置における、別の実施例の断面概要図である。図に示すように、本発明のインターフェースカードの高速挿抜装置６５は、ＰＣＩｅインターフェースカード６１の側面に設けられ、高速挿抜装置６５およびＰＣＩｅインターフェースカード６１が、ＰＣＩｅ装置６０を形成する。ＰＣＩｅインターフェースカード６１は、ＰＣＩｅスロット２９に挿入される。高速挿抜装置６５は、ＰＣＩｅインターフェースカード６１に設けられ、ＰＣＩｅスロット２９のスロット側面２９３を挟持または係着する。
【００３８】
本実施例において、その高速挿抜装置６５は、前記実施例で述べたようなハウジング２５７／４５７を含まない。固定部品６５１が、接続部６５５を介して、直接ＰＣＩｅインターフェースカード６１と接続する。固定部品６５１および接続部６５５と、ＰＣＩｅインターフェースカード６１との間に、可変空間６５４が形成されるか、または有する。
【００３９】
高速挿抜装置６５の固定部品６５１の中段位置に接続部６５５を有し、固定部品６５１の底部縁に係着部６５３が設けられる。ＰＣＩｅスロット２９に突出部２９１が設けられ、ＰＣＩｅインターフェースカード６１をＰＣＩｅスロット２９に挿入するとき、高速挿抜装置６５の係着部６５３は、ＰＣＩｅスロット２９の突出部２９１と係着する。
【００４０】
別の実施例において、固定部品６５１の底部縁の接触部は、係着部６５３以外に、係着部６５３の表面に滑り止め効果を有するスペーサー６５６を設けてもよい。高速挿抜装置６５が、ＰＣＩｅスロット２９の突出部２９１と相互に係着するだけでなく、スロット側面２９３を挟持し、さらにスペーサー６５６の滑り止め作用を利用して、その挟持力を高める。
【００４１】
固定部品６５１の頂端縁部に押持部６５２を設けてもよい。押持部６５２は突出物であり、ユーザが押すのに便利である。さらに固定部品６５１と同一板面の平滑物でもよい。言い換えると、押持部６５２は、固定部品６５１の頂端部位に過ぎず、必ず設置するわけではない。固定部品６５１および押持部６５２は一体である。
【００４２】
接続部６５５は、ＰＣＩｅインターフェースカード６１と一体成型である。または接合部品６５８を介して、高速挿抜装置６５およびＰＣＩｅインターフェースカード６１を相互に接続してもよい。接合部品６５８は溶接部品、螺着部品（例えばネジ）、接着部品（例えば接着剤）または留め具（例えばフック／係止溝）などの接合物でよい。
【００４３】
図７を参照されたい。図７は、本発明のインターフェースカードの高速挿抜装置における、別の実施例の断面概要図である。前記図４の実施例と比較すると、本実施例におけるインターフェースカードの高速挿抜装置７５は、図４の実施例のようなハウジング（４５７）を含まない。高速挿抜装置７５の固定部品４５１は、第１接続部４５５を有し、第２接続部７５８は直接ＰＣＩｅインターフェースカード７１に設けられ、図４の実施例において、第２接続部（４５８）がハウジング（４５７）に設けられる構造と異なる。接続軸４５９によって、第１接続部４５５および第２接続部７５８を貫設して、高速挿抜装置７５およびＰＣＩｅインターフェースカード７１を接続し、ＰＣＩｅ装置７０が形成される。
【００４４】
また、接続軸４５９に弾性要素４９を巻きつける。弾性要素４９は可変空間２５４内に位置し、それぞれ固定部品４５１（または押持部４５２）およびＰＣＩｅインターフェースカード７１と接触し、高速挿抜装置７５に挟着力を持たせる。当然、高速挿抜装置７５は、移動可能で可変空間２５４内に係合できる位置決め部品３５７を含んでもよい。
【００４５】
本発明の図６および図７において、主にＰＣＩｅインターフェースカードおよびＰＣＩｅスロットを説明時の実施例とした。しかしながら前述の構造は、ＰＣＩインターフェースカードおよびＰＣＩスロットにも利用できる。図８に示すように、ＰＣＩインターフェースカード８１をＰＣＩスロット５９に挿入する。高速挿抜装置８５を直接ＰＣＩインターフェースカード８１に取り付け、ＰＣＩ装置８０とし、ＰＣＩスロット５９の側面を挟持または係着する。
【００４６】
また、図９を参照されたい。図９は、本発明のインターフェースカードの高速挿抜装置における、別の実施例の断面概要図である。本発明で述べる高速挿抜装置８５の数量は、１個に限定されない。例えば、ＰＣＩインターフェースカード９１またはＰＣＩｅインターフェースカードに、２個の高速挿抜装置８５を取り付け、それぞれＰＣＩスロット５９またはＰＣＩｅスロットの２個のスロット側面５９３を挟持し、ＰＣＩ装置９０またはＰＣＩｅ装置とする。
【００４７】
説明するときの便宜性を高めるため、本発明の前記実施例において、主にＰＣＩｅインターフェースカード（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）およびＰＣＩインターフェースカード（Ｐｅｒｉｐｈｅｒａｌ  Ｃｏｍｐｏｎｅｎｔ  Ｉｎｔｅｒｃｏｎｎｅｃｔ）によって説明を行った。一般の原則で述べると、ＰＣＩｅインターフェースカードは、ＰＣＩインターフェースカードの１種に属する。このほか、ＰＣＩインターフェースカードは、その他の異なる型式を含むため、実際に使用するときは、本発明で述べた構造を、その他の異なるＰＣＩインターフェースカード、例えばＰＣＩＸ…などに利用できる。
【００４８】
以上述べたのは、本発明の好適な実施例に過ぎず、本発明の実施範囲を限定するものではない。本発明で申請する特許請求の範囲で述べる形状、構造、特徴および趣旨に基づく均等な変化および修飾は、すべて本発明の申請する特許請求の範囲に含まれるべきである。
【符号の説明】
【００４９】
１１  ＰＣＩｅ装置
１１１  ＰＣＩｅインターフェースカード
１１３  バッフル
１３  マザーボード
１３１  ＰＣＩｅスロット
１５  筐体
１７  ボルト
２０  ＰＣＩｅ装置
２１  ＰＣＩｅインターフェースカード
２５  高速挿抜装置
２５１  固定部品
２５２  押持部
２５３  係着部
２５４  可変空間
２５５  接続部
２５７  ハウジング
２９  ＰＣＩｅスロット
２９１  突出部
２９３  スロット側面
３０  ＰＣＩｅ装置
３５１  延伸部
３５４  位置決めレール
３５７  位置決め部品
４０  ＰＣＩｅ装置
４５  高速挿抜装置
４５１  固定部品
４５２  押持部
４５３  係着部
４５５  第１接続部
４５７  ハウジング
４５８  第２接続部
４５９  接続軸
４９  弾性要素
５０  ＰＣＩ装置
５１  ＰＣＩインターフェースカード
５５  高速挿抜装置
５５６  スペーサー
５９  ＰＣＩスロット
５９３  スロット側面
６０  ＰＣＩｅ装置
６１  ＰＣＩｅインターフェースカード
６５  高速挿抜装置
６５１  固定部品
６５２  押持部
６５３  係着部
６５４  可変空間
６５５  接続部
６５６  スペーサー
６５８  接合部品
７０  ＰＣＩｅ装置
７１  ＰＣＩｅインターフェースカード
７５  高速挿抜装置
７５８  第２接続部
８０  ＰＣＩ装置
８１  ＰＣＩインターフェースカード
８５  高速挿抜装置
９０  ＰＣＩ装置
９１  ＰＣＩインターフェースカード
【図１】
2011249793.tif 000003
【図２Ａ】
2011249793.tif 000004
【図２Ｂ】
2011249793.tif 000005
【図３Ａ】
2011249793.tif 000006
【図３Ｂ】
2011249793.tif 000007
【図４】
2011249793.tif 000008
【図５】
2011249793.tif 000009
【図６】
2011249793.tif 000010
【図７】
2011249793.tif 000011
【図８】
2011249793.tif 000012
【図９】
2011249793.tif 000013